(57)【要約】【課題】吐出口を明確に識別することができる吐水装置を提供する。【解決手段】混合水栓（吐水装置）１は、水と湯を混合した湯水、及び熱湯（複数種類の水）を吐出する。混合水栓１は、水栓本体（本体部）１０と、基端部が水栓本体１０に回動自在に接続されて水栓本体１０から延出する吐出管２０と、湯水及び熱湯に夫々対応して吐出管２０に設けられた湯水吐出口３０及び熱湯吐出口４０と、を備えており、熱湯吐出口４０は、湯水吐出口３０とは、視覚的及び触覚的に差異のある形態で形成されている。【選択図】図３
2018040203.tif 000002
【特許請求の範囲】
【請求項１】
複数種類の水を吐出する吐水装置であって、
本体部と、
基端部が前記本体部に接続されて前記本体部から延出する吐出管と、
前記複数種類の水に対応して前記吐出管に複数設けられた吐出口と、を備えており、
前記吐出口は、他の前記吐出口とは、視覚的及び触覚的の少なくとも一方の差異のある形態で形成されていることを特徴とする吐水装置。
【請求項２】
前記複数の吐出口は、前記吐出管から夫々異なる突出量で突出して形成されていることを特徴とする請求項１記載の吐水装置。
【請求項３】
前記複数の吐出口の少なくとも一つは、他の前記吐出口と識別するための色彩を表示する識別表示部を具備していることを特徴とする請求項１又は２記載の吐水装置。
【請求項４】
前記複数の吐出口の夫々に対応して吐出操作を行う複数の操作部を備えており、
少なくとも一組の前記吐出口及びこれに対応する前記操作部は、同一の色彩を表示する識別表示部を夫々具備していることを特徴とする請求項１乃至３のいずれか一項に記載の吐水装置。
【発明の詳細な説明】
【技術分野】
【０００１】
本発明は吐水装置に関するものである。
【背景技術】
【０００２】
特許文献１は従来の吐水装置を示している。この吐水装置は、水道の蛇口から供給される原水を通過して濾過水として吐出する。また、特許文献１の吐水装置は、原水をそのまま吐出することもできる。これら濾過水及び原水は、夫々異なる吐出口から吐出されるようになっている。
【先行技術文献】
【特許文献】
【０００３】
【特許文献１】特開２０００−９６６４４号公報
【発明の概要】
【発明が解決しようとする課題】
【０００４】
しかし、特許文献１のような複数種類の水を別々の吐出口から吐出する吐水装置の場合、どの吐出口からどの種類の水が吐出されるのかが不明確で識別し難いという問題があった。
【０００５】
本発明は、上記従来の実情に鑑みてなされたものであって、吐出口を明確に識別することができる吐水装置を提供することを解決すべき課題としている。
【課題を解決するための手段】
【０００６】
本発明の吐水装置は、複数種類の水を吐出する吐水装置であって、
本体部と、
基端部が前記本体部に接続されて前記本体部から延出する吐出管と、
前記複数種類の水に対応して前記吐出管に複数設けられた吐出口と、を備えており、
前記吐出口は、他の前記吐出口とは、視覚的及び触覚的の少なくとも一方の差異のある形態で形成されていることを特徴とする。
【０００７】
この吐水装置は、本体部から延びる吐出管に、複数種類の水に対応した複数の吐出口が設けられている。そして、これら複数の吐出口は、他の吐出口とは視覚的な差異や触覚的な差異のある形態で夫々設けられている。このため、夫々の吐出口を容易に把握することができる。
【０００８】
したがって、本発明の吐水装置は、吐出口を明確に識別することができる。
【０００９】
なお、上記「視覚的」差異とは、例えば、形状、色彩、表面粗さ（質感）等が挙げられる。また、上記「触覚的」差異とは、例えば、形状、材質、表面粗さ（質感）等が挙られる。
【図面の簡単な説明】
【００１０】
【図１】実施例に係る混合水栓（吐水装置）を示す斜視図である。
【図２】実施例に係る混合水栓（吐水装置）を示す正面図である。
【図３】実施例に係る混合水栓（吐水装置）を示す側面図である。
【図４】実施例に係る混合水栓（吐水装置）の吐出管先端部を示す拡大底面図である。
【図５】実施例に係る混合水栓（吐水装置）の作用を説明するための図である。
【図６】実施例に係る混合水栓（吐水装置）の作用を説明するための図であり、回動式ハンドルを開操作した状態を示す図である。
【図７】実施例に係る混合水栓（吐水装置）の作用を説明するための図であり、レバー式ハンドルを開操作した状態を示す図である。
【発明を実施するための形態】
【００１１】
本発明における好ましい実施の形態を説明する。
【００１２】
本発明の吐水装置において、前記複数の吐出口は、前記吐出管から夫々異なる突出量で突出して形成され得る。この場合、複数の吐出口の差異が明確であり、吐出口を確実に識別することができる。
【００１３】
本発明の吐水装置において、前記複数の吐出口の少なくとも一つは、他の前記吐出口と識別するための色彩を表示する識別表示部を具備し得る。この場合、複数の吐出口の差異が明確であり、吐出口を確実に識別することができる。
【００１４】
本発明の吐水装置は、前記複数の吐出口の夫々に対応して吐出操作を行う複数の操作部を備え得る。そして、少なくとも一組の前記吐出口及びこれに対応する前記操作部は、同一の色彩を表示する識別表示部を夫々具備し得る。この場合、識別表示部によって、吐出口と操作部が関連性のあることを認識させることができ、誤操作を抑制することができる。
【００１５】
次に、本発明の吐水装置を具体化した実施例について、図面を参照しつつ説明する。なお、以下の説明では、本発明に係る吐水装置として混合水栓を例示する。この混合水栓は、本発明に係る複数種類の水として、水と湯とを混合した湯水、及び熱湯の２種類の水を吐出する。また、以下の説明では、便宜上、鉛直方向を上下方向とする。
【００１６】
＜実施例＞
本実施例の混合水栓１は、壁面取り付け型の水栓である。混合水栓１は、図１〜図４に示すように、水栓本体（本発明に係る本体部として例示する）１０、吐出管２０、湯水吐出口（本発明に係る複数の吐出口の１つとして例示する）３０及び熱湯吐出口（本発明に係る複数の吐出口の１つとして例示する）４０を備えている。また、混合水栓１は、レバー式ハンドル（本発明に係る複数の操作部の１つとして例示する）５０及び回動式ハンドル（本発明に係る複数の操作部の１つとして例示する）６０を備えている。これらの各部材は、大部分を白色の樹脂カバーにより夫々覆われており、全体として白色を呈する清潔感のある意匠とされている。
【００１７】
水栓本体１０は、水平方向に長い略直方体形状をなしている。水栓本体１０の背面両端部には、給水管２及び給湯管３が夫々接続されている。給水管２及び給湯管３は、壁面内の配管から水栓本体１０に水及び湯を夫々供給する。給湯管３は最高約９５℃の熱湯を供給することができる。水栓本体１０は、これら給水管２及び給湯管３からの水及び熱湯を混合して流出させる図示しない混合弁を内蔵している。
【００１８】
吐出管２０は、その基端部が水栓本体１０に回動自在に接続されている。本実施例において、吐出管２０は断面略円形状に形成されている。また、吐出管２０は直線状に延びる直線状部２１を有している。具体的には、吐出管２０は、水栓本体１０の下面の長手方向略中央から下方に突出したのちに側方に屈曲して直線状部２１に接続しており、全体として略Ｌ字状に形成されている。直線状部２１は水平方向に延伸している。吐出管２０は、水栓本体１０の正面前方を中心として、水平面内で約１８０°の範囲で回動自在とされている。吐出管２０は、水栓本体１０の混合弁を経由した湯水を流通する湯水流通路（図示せず）と、給湯管３からの熱湯を夫々流通する熱湯流通路（図示せず）とを有している。すなわち、水栓本体は、湯水と熱湯が別々に流通する２系統の流通路を有している。
【００１９】
湯水吐出口３０は、吐出管２０に形成されて湯水を吐出する。熱湯吐出口４０は、吐出管２０に形成されて熱湯を吐出する。図３に示すように、本実施例に係る湯水吐出口３０及び熱湯吐出口４０は、吐出管２０から夫々異なる突出量で突出して形成されている。本実施例において、湯水吐出口３０及び熱湯吐出口４０は、吐出管２０の直線状部２１の先端部から下方に突出する形態で夫々設けられている。そして、熱湯吐出口４０の下端は、湯水吐出口３０の下端よりも下方まで延びて形成されている。すなわち、熱湯吐出口４０は、湯水吐出口３０よりも大きな突出量で下方に突出している。
【００２０】
湯水吐出口３０及び熱湯吐出口４０は、湯水吐出口３０が吐出管２０の基端側、熱湯吐出口４０が吐出管２０の先端側となる配置で、吐出管２０の直線状部２１の延出する方向に沿って隣接して夫々設けられている。また、湯水吐出口３０及び熱湯吐出口４０は、底面視において、図４に示すように、熱湯吐出口４０が略円形状の外周をなしているとともに、湯水吐出口３０が半長丸形状の外周をなしている。湯水吐出口３０及び熱湯吐出口４０は、湯水吐出口３０が熱湯吐出口４０の円形状の外周に接続することで一体的な意匠をなしている。また、図４に示すように、底面視における熱湯吐出口４０の外径は、底面視における半長丸形状をなす湯水吐出口３０の幅よりも僅かに大きく形成されている。
【００２１】
熱湯吐出口４０の下端部には識別表示部４１が設けられている。識別表示部４１は、熱湯吐出口４０の下端部外周面を、他の部位とは異なる色彩で、帯状に着色して形成されている。本実施例において、識別表示部４１の色彩は赤色としている。また、本実施例において、熱湯吐出口４０から吐出される熱湯は整流状の吐出形態で吐出され、湯水吐出口３０から吐出される湯水は空気の泡沫を含んだ形態で吐出される。
【００２２】
レバー式ハンドル５０は、水栓本体１０の混合弁による湯水の混合割合及び吐出量を調節する操作ハンドルである。レバー式ハンドル５０は、所定の２軸周りに回動自在に水栓本体１０の上面の長手方向略中央に設けられている。本実施例における「所定の２軸」とは、水平方向に延びる軸及び鉛直方向に延びる軸とされている。具体的には、レバー式ハンドル５０は、水平軸周りの回動、すなわち、レバー式ハンドル５０の先端が上下に移動する回動操作により湯水の吐出量を調節する。また、レバー式ハンドル５０は、鉛直軸周りの回動、すなわち、レバー式ハンドル５０の先端が水平に移動する回動操作により、湯水の混合割合を調節する。
【００２３】
回動式ハンドル６０は、給湯管３から供給される熱湯の吐出量を調節する操作ハンドルである。回動式ハンドル６０は、所定の１軸周りに回動自在に吐出管２０の先端部に設けられている。上記「所定の１軸」とは、本実施例においては、水平方向に延びる軸とされている。具体的には、回動式ハンドル６０は、円柱形状をなす吐出管２０の直線状部２１の中心軸Ｃと同軸周りに回動操作することにより、熱湯の吐出量を調節する。回動式ハンドル６０は、吐出管２０の外径と略同径の略円柱形状をなしており、その中心軸が吐出管２０の直線状部２１の中心軸Ｃと同軸になるように、吐出管２０の先端に配置されている。また、回動式ハンドル６０は識別表示部６１を有している。本実施例において、識別表示部６１は、円柱形状をなす回動式ハンドル６０の端面中心から外周方向に延びるとともに、外周面上を中心軸に沿って延びる略Ｌ字状に形成されている。識別表示部６１は、識別表示部４１と同色の赤色に着色されている。
【００２４】
次に、上記のように構成された本実施例の混合水栓１の作用について説明する。
熱湯を吐出する場合には、回動式ハンドル６０を操作する。このとき、回動式ハンドル６０には、赤色に着色された識別表示部４１が設けられていることから、回動式ハンドル６０が熱湯吐出用のハンドルであることが容易に認識される。また、識別表示部４１は他の部位とは異なる形態、具体的には、本実施例の場合には、他の部位とは異なる色彩の赤色としていることから、例えば、図５に示すハッチング部位のように、目立ちやすく操作者の目に留まりやすい。また、識別表示部４１が赤色であることから、熱湯を扱うことに対する注意喚起にもなる。
【００２５】
そして、回動式ハンドル６０を回動操作すると、図６に示すように、熱湯吐出口４０から熱湯が吐出される。熱湯吐出口４０から吐出される熱湯は、通常の吐出形態である整流の状態で吐出される。このとき、回動式ハンドル６０は、吐出管２０の先端に設けられているので、操作者は吐出される熱湯よりも手前で回動操作を行うことができ安全である。また、回動式ハンドル６０は、吐出管２０の外径と略同径の円柱状に形成されており、その中心軸が吐出管２０の直線状部２１の中心軸Ｃと同軸になるように直線状部２１の先端部に配置されているので、すっきりとした美観を呈している。
【００２６】
また、熱湯吐出口４０は湯水吐出口３０よりも吐出管２０の先端寄りの位置に設けられており、吐出管２０の先端に配置された回動式ハンドル６０により近い位置から熱湯が吐出される。また、熱湯が吐出される熱湯吐出口４０には識別表示部４１が設けられていることから、熱湯の吐出位置を容易に認識できる。
【００２７】
また、識別表示部６１は、識別表示部４１と同様に、他の部位とは異なる形態である赤色に着色されているので、操作者の目に留まりやすく、注意を喚起する。更に、識別表示部４１及び識別表示部６１が同色であることから、熱湯吐出口４０と回動式ハンドル６０のとの関連性を認識させやすい。例えば、図５のハッチングで示した部位のように、識別表示部４１，６１によって熱湯吐出口４０及び回動式ハンドル６０が目立って示される。これにより、他の部位と異なることが容易に認識される。また、これら識別表示部４１及び識別表示部６１の関連性も認識しやすい。
【００２８】
湯水を吐出する場合には、図７に示すように、レバー式ハンドル５０を上方に押し上げる。これにより、湯水吐出口３０より湯水が吐出される。このとき、レバー式ハンドル５０を水平方向へ回動させることで、水と熱湯の混合割合が調節される。また、レバー式ハンドル５０の押し上げ量によって湯水の吐出量が調節される。また、湯水吐出口３０は熱湯吐出口４０とは別に設けられていることから、例えば、熱湯を吐出した直後に湯水を吐出する場合でも、残っていた熱湯が不意に吐出してしまうことがない。また、湯水吐出口３０は、その下端が熱湯吐出口４０の下端よりも上方に位置している。すなわち、湯水吐出口３０は、熱湯吐出口４０の突出量よりも小さい突出量で、吐出管２０の直線状部２１の延伸方向に交差する方向に突出している。このことから、熱湯の吐出される熱湯吐出口４０との吐出位置の違いを容易に認識できる。また、湯水吐出口３０は、空気の泡沫を含んだ吐出形態で湯水を吐出するので、整流の状態で吐出される熱湯と視覚的な差異があり、容易に判別できる。
【００２９】
以上のように、本実施例の混合水栓１は、複数種類の水として、水と湯を混合した湯水、及び熱湯を吐出する。混合水栓１は、水栓本体１０と、基端部が水栓本体１０に回動自在に接続されて水栓本体１０から延出する吐出管２０と、湯水及び熱湯に対応して吐出管２０に設けられた湯水吐出口３０及び熱湯吐出口４０と、を備えており、湯水吐出口３０及び熱湯吐出口４０は、視覚的に差異のある形態で夫々形成されている。
【００３０】
このように、混合水栓１は、水栓本体１０から延びる吐出管２０に、複数種類の水に対応した複数の吐出口である湯水吐出口３０及び熱湯吐出口４０が設けられている。そして、これら複数の吐出口は、他の吐出口とは視覚的な差異や触覚的な差異のある形態で夫々設けられている。このため、夫々の吐出口３０，４０を容易に把握することができる。
【００３１】
したがって、混合水栓１は、吐出口３０，４０を明確に識別することができる。
【００３２】
また、複数の吐出口としての湯水吐出口３０及び熱湯吐出口４０は、吐出管２０の延伸方向に交差する方向に夫々異なる突出量で突出して形成されている。このため、湯水吐出口３０及び熱湯吐出口４０の視覚的な差異が明確であり、これらを確実に識別することができる。
【００３３】
また、熱湯吐出口４０が識別表示部４１を具備している。このため、湯水吐出口３０との差異が明確であり、複数の吐出口を確実に識別することができる。
【００３４】
また、混合水栓１は、湯水吐出口３０及び熱湯吐出口４０の夫々に対応して吐出操作を行うレバー式ハンドル５０及び回動式ハンドル６０を備えている。そして、熱湯吐出口４０及びこれに対応する操作部である回動式ハンドル６０は、同一の色彩の赤色を表示する識別表示部４１，６１を夫々具備している。このため、識別表示部４１，６１によって、熱湯吐出口４０と回動式ハンドル６０が関連性のあることを認識させることができ、誤操作を抑制することができる。
【００３５】
本発明は上記記述及び図面によって説明した実施例に限定されるものではなく、例えば次のような実施例も本発明の技術的範囲に含まれる。
（１）実施例では、複数種類の水として湯水と熱湯を例示したが、これらに限定されるものではない。本発明に係る複数種類の水は、例えば、水道から取り入れた水に対して、濾過、溶解、電解、加熱等の種々の処理を加えて生成する水であることができる。具体的には、濾過水（浄水）、炭酸水、電解水等であることができる。
（２）実施例では、湯水の混合割合及び吐出量を調節する操作ハンドルとして特定構成のレバー式ハンドルを例示したが、これに限定されるものではない。また、熱湯の吐出量を調節する操作ハンドルとして、特定構成の回転式ハンドルを例示したが、これに限定されるものではない。
（３）実施例では、特定の配置の湯水吐出口及び熱湯吐出口を例示したが、これらの配置形態は特に限定されない。すなわち、湯水吐出口及び熱湯吐出口は、隣接せずに離間して設けられていてもよい。また、湯水吐出口及び熱湯吐出口は、吐出管の延伸方向に沿って配置されていなくてもよく、更に、湯水吐出口が熱湯吐出口よりも吐出管の先端寄りに配置されていてもよい。
（４）実施例では、吐出管が側方に直線状に延出する直線状部を有する形態を例示したが、本発明において吐出管が直線状部を有することは必須ではない。すなわち、吐出管は、いわゆるグースネックのように、曲線状に延出する構成であってもよい。また、直線状部を設ける場合、その延伸方向は側方のみならず、上方や斜め上方等、他の方向であってもよい。
（５）実施例では、回動式ハンドル及び熱湯吐出口に識別表示部を夫々設けたが、これは必須ではない。識別表示部は、どちらか一方のみに設けられていてもよいし、どちらにも設けられていなくてもよい。また、識別表示部を設ける場合には、その色彩は赤色に限定されないが、他の部位との違いが明確であることが好ましい。また、識別表示部を設ける場合、異なる素材の別部材で設けることで、他の部位との差異を色彩の差異等により表すようにしてもよい。
（６）実施例では、回動式ハンドルに識別表示部を設けて視覚的な差異を表すようにしたが、これに限定されず、例えば、回動式ハンドル全体、又は、回動式ハンドルから熱湯吐出口にかけて、赤色等の他の部位と異なる色彩に着色するなど、他の形態で視覚的差異を示してもよい。
（７）実施例では、異なる吐出形態の例として、整流状、泡沫状の吐出形態を例示したが、これに限定されず、例えば、シャワー状等の他の吐出形態であってもよい。
（８）実施例では、吐出操作を行うための操作部として、２つの吐出口の夫々に対応して設けられた２つの操作部を備える形態を例示したが、これに限定されず、例えば、複数種類の水の吐出操作を行うための操作部として、操作部を１つのみ設ける形態であってもよい。すなわち、１つの操作部により、複数種類の水の吐出操作を行う形態であってもよい。
【符号の説明】
【００３６】
１…混合水栓（吐水装置）
２…給水管
３…給湯管
１０…水栓本体（本体部）
２０…吐出管
２１…直線状部
３０…湯水吐出口
４０…熱湯吐出口
４１，６１…識別表示部
５０…レバー式ハンドル（操作部）
６０…回動式ハンドル（操作部）
Ｃ…直線状部の中心軸
【図１】
2018040203.tif 000003
【図２】
2018040203.tif 000004
【図３】
2018040203.tif 000005
【図４】
2018040203.tif 000006
【図５】
2018040203.tif 000007
【図６】
2018040203.tif 000008
【図７】
2018040203.tif 000009